(57)【要約】【課題】遊技機において複数の表示部における各表示を互いに融合させる。【解決手段】遊技結果を表示するとともに演出表示を行うための遊技結果表示手段は、第１表示手段（回転リール２ａ，２ｂ，２ｃ）と、該第１表示手段の遊技機前面側において該第１表示手段に重なるようにして配設された第２表示手段（液晶表示装置１６）を含む。第２表示手段は、第１表示手段の表示を透過して表示可能な複数の透過表示部を有し、該複数の透過表示部を跨るように特定表示図柄が表示されるような演出表示を行う。【選択図】          図１
2004166912.tif 000002
【特許請求の範囲】
【請求項１】
遊技結果を表示するとともに所定の表示を行う遊技結果表示手段と、
該遊技結果表示手段に特定の遊技結果が表示された場合に遊技者にとって有利な利益状態を発生させる利益状態発生手段と、
前記遊技結果表示手段における表示制御を行う表示制御手段とを備えた遊技機において、
前記遊技結果表示手段は、第１表示手段と、遊技機を正面から見た場合に該第１表示手段の手前側に配設された第２表示手段を含み、
前記第２表示手段は、前記第１表示手段の表示を透過して表示可能な複数の透過表示部を有し、該複数の透過表示部に跨るように特定表示図柄を表示することを特徴とする遊技機。
【請求項２】
複数の当選役から少なくとも１つの当選役を選択する当選役選択手段を備え、
前記第２表示手段の表示は、該当選役選択手段により特定の当選役が選択された場合に、行われることを特徴とする請求項１記載の遊技機。
【請求項３】
前記第２表示手段の表示は、前記第１表示手段の表示態様に応じて、表示開始または表示停止されることを特徴とする請求項１または２記載の遊技機。
【請求項４】
前記特定表示図柄は、前記第１表示手段において表示可能な所定の図柄と同様の模写図柄を複数組み合わせたものを含むことを特徴とする請求項１〜３のいずれかに記載された遊技機。
【請求項５】
前記第２表示手段の表示は、前記所定の図柄が前記第１表示手段において表示された場合に、該所定の図柄を透過表示する前記透過表示部の所定位置を基点として表示開始し、前記模写図柄を時間経過に伴って複数表示するとともに、前記特定表示図柄を表示することを特徴とする請求項４記載の遊技機。
【請求項６】
前記模写図柄は、前記透過表示部の領域内に表示されることを特徴とする請求項４または５記載の遊技機。
【発明の詳細な説明】
【０００１】
【発明の属する技術分野】
本発明は、遊技機に関し、特に多彩な表示を行うことができるようにした遊技機に関する。
【０００２】
【従来の技術】
従来、パチスロ遊技機、スロットマシン、パチンコ機、ビデオゲームマシン等の遊技機においては、遊技の面白さを高めるために多彩な演出が行われていた。
例えば、従来のパチスロ遊技機では、複数の回転リールとは別にパチスロ遊技機の前面側に液晶表示器を配設し、この液晶表示器において遊技内容に関連した演出画像を表示していた。
【０００３】
また、遊技メダルの投入枚数に応じて有効となるラインを表示するために、ＥＬ（エレクトロルミネッセンス）ランプを用いたパチスロ遊技機に関する技術がある（特許文献１参照）。
【０００４】
【特許文献１】
特開平１１−２４４４５３号公報
【０００５】
【発明が解決しようとする課題】
しかしながら、前記従来のパチスロ遊技機では、複数の回転リールと液晶表示器とが離れた位置に配設されているため、複数の回転リールを用いた表示に集中すると液晶表示器における表示を見落としてしまうおそれがあり、反対に液晶表示器における表示に集中すると複数の回転リールを用いた表示を十分に楽しむことができないという問題があった。
【０００６】
また、複数の回転リールを用いた表示に関連させて液晶表示器における画像を表示しているとはいえ、複数の回転リールにおける図柄の変動表示と、液晶表示を用いた画像とを融合させたものではなく、演出効果を高めるためにはより一層の工夫が必要である。この点、複数の回転リールにおける図柄の変動表示と、液晶表示を用いた画像のように、複数の表示部の表示が融合した場合には、多彩な表示を行うことにより遊技に対する期待感を高めることができる等、遊技の面白さを今まで以上に向上させることが可能となる。
【０００７】
なお、他の種類の遊技機においても、上述した従来のパチスロ遊技機が有する課題と同様の課題を有しており、演出効果をより一層高めるための技術の開発が要望されていた。
【０００８】
本発明は、上述した事情に鑑み提案されたもので、複数の表示部の表示を融合させることにより、演出効果をより一層高めることが可能な遊技機を提供することを目的とする。
【０００９】
【課題を解決するための手段】
本発明に係る遊技機は、上述した目的を達成するため、以下の特徴点を備えている。
すなわち、本発明に係る遊技機は、遊技結果を表示するとともに所定の表示を行う遊技結果表示手段と、
該遊技結果表示手段に特定の遊技結果が表示された場合に遊技者にとって有利な利益状態を発生させる利益状態発生手段と、
前記遊技結果表示手段における表示制御を行う表示制御手段とを備えた遊技機において、
前記遊技結果表示手段は、第１表示手段と、遊技機を正面から見た場合に該第１表示手段の手前側に配設された第２表示手段を含み、
前記第２表示手段は、前記第１表示手段の表示を透過して表示可能な複数の透過表示部を有し、該複数の透過表示部に跨るように特定表示図柄を表示することを特徴とするものである。
【００１０】
【発明の実施の形態】
以下、本発明に係る遊技機の実施形態について説明する。
【００１１】
＜遊技機の基本構成＞
本発明の実施形態に係る遊技機は、以下に説明する構成要素を備えている。
すなわち、本発明の実施形態に係る遊技機は、遊技結果を表示するとともに演出表示を行う遊技結果表示手段と、該遊技結果表示手段に特定の遊技結果が表示された場合に遊技者にとって有利な利益状態を発生させる利益状態発生手段と、前記遊技結果表示手段における表示制御を行う表示制御手段とを備えている。
前記遊技結果表示手段は、第１表示手段と、該第１表示手段の遊技機前面側において該第１表示手段に重なるようにして配設された第２表示手段を含んでいる。
【００１２】
また、本発明の実施形態に係る遊技機は、遊技者による操作が可能な遊技開始指令手段と、該遊技開始指令手段の出力に基づいて遊技を開始するための遊技開始手段とを備えており、該遊技開始手段の作動毎に遊技結果表示手段が作動する。
【００１３】
また、本発明の実施形態に係る遊技機は、遊技者の操作に応じて遊技結果を導出する遊技結果導出手段を有しており、該遊技結果導出手段の出力に基づいて、前記表示制御手段が前記遊技結果表示手段における表示制御を行う。
【００１４】
また、本発明の実施形態に係る遊技機は、前記遊技開始指令手段の出力に基づいて、複数の当選役から１または複数の当選役を選択する当選役選択手段を有しており、該当選役選択手段の出力に基づいて、前記表示制御手段が作動する。この場合、前記当選役選択手段における選択結果を報知するための当選役選択結果報知手段を備えることができる。該当選役結果報知手段における報知とは、視覚的、聴覚的、嗅覚的、触覚的等、どのような報知方法を採用してもよい。
【００１５】
前記第１表示手段は、１または複数の画像を可変表示するとともに停止可能な複数の図柄表示部を含んでいる。ここで、図柄表示部の数は特に限定されるものではなく、１つ、２つ、３つ等、いくつ設けてもよい。また、図柄表示部に表示される図柄数は特に限定されるものではなく、１つ、縦並びに３つ、横並びに３つ、斜めに３つ等、いくつであってもよい。
【００１６】
前記第２表示手段は、前記第１表示手段の図柄表示部の領域に対応するようにして、図柄表示部に表示された図柄を透過表示可能な複数の透過表示部を備えている。また、前記第２表示手段は、複数の透過表示部に跨るように特定表示図柄が表示されるような演出表示を行う。特定表示図柄が複数の透過表示部に跨るように表示されることにより、特定表示図柄の視認性が高まり、第１表示手段の表示に集中している遊技者に対しても、特定表示図柄が表示されたことをはっきりと認識させることが可能となる。なお、前記第２表示手段は、前記第１表示手段よりも大きな面積を有するように構成し、複数の図柄表示部を覆うように設けることができる。
【００１７】
前記表示制御手段は、第１表示手段を制御する第１表示制御手段と、第２表示手段を制御する第２表示制御手段とを含んでいる。
【００１８】
前記第２表示制御手段は、前記第１表示制御手段から前記第１表示手段の表示態様に関する表示関連情報信号を受信可能である表示関連情報受信手段、または前記当選役選択手段から当選役の選択結果に関する当選役情報信号を受信可能である当選役情報受信手段の少なくとも一方を含んでいる構成とすることができる。  そして、前記表示関連情報受信手段により受信した表示関連情報信号、あるいは前記当選役情報受信手段により受信した当選役情報信号に基づいて、特定の当選役が選択された場合に、前記第２表示手段において前記特定表示図柄が複数の透過表示部に跨るように表示される表示の制御を行うように構成することができる。こうすることにより、第２表示手段における表示を遊技の当選役に関連付けて行うことができるので、遊技の面白みや遊技への期待感を高めることが可能となる。なお、前記表示関連情報受信手段および前記当選役情報受信手段を別個に構成するのではなく、１つの受信手段により前記表示関連情報および前記当選役情報を受信するように構成してもよい。
【００１９】
また、前記第２表示制御手段は、前記第１表示手段の表示態様に応じて、前記第２表示手段において行なわれる前記特定表示図柄の演出表示を、表示開始または表示停止させるような制御を行うことができる。こうすることにより、第１表示手段の表示のタイミングと第２表示手段の表示のタイミングを合わせるなど、２つの表示手段の表示をより融合させることができるので、遊技の面白みや遊技への期待感をさらに高めることが可能となる。
【００２０】
なお、この特定表示図柄は、前記第１表示手段において表示可能な所定の図柄と同様な模写図柄を複数組み合わせて構成することができる。例えば、第１表示手段に表示されるキャラクタを、前記第２表示手段において複数組み合わせて前記特定表示図柄を構成し、これを表示させることができる。こうすることにより、第１表示手段の表示と前記第２表示手段の表示との融合性を一層高めることが可能となるとともに、第２表示手段の表示に面白みを付加することが可能となる。
【００２１】
また、複数の前記模写図柄が前記透過表示部の領域内に対応して表示されるようにすることができる。こうすることにより、第１表示手段の表示を見ている遊技者に対しても視線をそらすことなく第２表示手段の表示を視認させることができるので、第２表示部の表示を遊技者が違和感なく見ることが可能となる。
【００２２】
また、前記第２表示制御手段は、前記所定の図柄（この図柄は、前記当選役選択手段により選択された当選役に対応する図柄としてもよい）が前記第１表示手段に表示された場合に、該所定の図柄を透過表示する前記透過表示部の所定位置を基点として、前記第２表示手段において行なわれる前記特定表示図柄の演出表示を開始し、前記模写図柄を時間経過に伴って複数表示し、この後に前記特定表示図柄を表示させるような制御を行うことができる。こうすることにより、第１表示手段の表示と前記第２表示手段の表示との融合性をより一層高めることが可能となるとともに、時間の経過とともに変化する前記第２表示手段の表示および表示過程を楽しむことが可能となる。
【００２３】
なお、前記特定表示図柄は、前記所定の図柄に対応した形状、例えば、該所定の図柄が数字である場合には、その数字に対応した形状に該特定表示図柄を構成することができる。また、該特定表示図柄は、利益状態の発生を遊技者に思考的に喚起させる（気付かせる）形状、例えば、Ｖ字形状や、第１表示手段に表示されるキャラクタを模したような形状等に構成することができる。こうすることにより、遊技者に有利な利益状態が発生していることをはっきりと気付かせることが可能となり、遊技への期待感をより一層高めることが可能となる。
【００２４】
前記第１表示制御手段の制御に基づいて第１表示手段に表示された画像は、前記第２表示制御手段の制御に基づいて第２表示手段に表示された画像と重合されて、遊技状態を表示可能となっている。ここで、前記第１表示手段と前記第２表示手段とを別体として設け、両者を所定の間隔を隔てて配設することができる。また、前記第１表示手段と前記第２表示手段とを一体的に構成することができる。
【００２５】
さらに、第１表示手段および第２表示手段の他に、第３表示手段を備えて構成することもできる。この場合、前記第１表示手段、前記第２表示手段、および第３表示手段の配設順序は、どのような順序であってもよい。
【００２６】
また、本発明の実施形態に係る遊技機は、前記第１表示手段と前記第２表示手段の少なくとも一方に特別遊技結果が表示された場合に、遊技者にとって有利な特別遊技状態を発生させるための特別遊技発生手段を備えている。ここで、該特別遊技発生手段と前記第２表示手段とを一体的に構成することができる。例えば、前記第２表示手段の演出表示において所定の条件が成立すると、前記第２表示手段における演出表示に重ねて前記図柄表示部に特定図柄を表示したり、あるいは前記図柄表示部に特定図柄が表示されないようにすることができる。
【００２７】
また、本発明の実施形態に係る遊技機は、第１表示手段を遊技機前面側から照明するための前方照明手段を備えるとともに、前記第１表示手段を遊技機背面側から照明するための後方照明手段を備えている。ここで、前記前方照明手段または前記後方照明手段は、前記図柄表示部毎に設けることができる。
【００２８】
＜各手段等の具体例＞
次に、前記各手段等の具体例を説明する。なお、以下に示す具体例は、本発明に係る遊技機における各手段の一例であり、これらの具体例に限定されるものではない。
前記遊技機とは、例えば、パチスロ遊技機、パチンコ機（第１種、第２種、第３種）、アレンジボール遊技機、雀球遊技機、ビデオスロットゲームマシン、ビデオポーカゲームマシン、パチスロ遊技機、スロットマシン等、遊技結果を表示する遊技結果表示部と、その遊技結果表示部に特定表示がなされた場合に、遊技者に有利な遊技状態を変換制御する機能を有していれば、どのような遊技機であってもよい。
【００２９】
また、前記遊技結果表示手段とは、遊技結果を表示するための表示装置であり、第１表示手段および第２表示手段とからなり、例えば、ＣＲＴ、ＬＣＤ、プラズマディスプレイ、７セグメント表示器、ドットマトリクス表示器、ランプ、ＬＥＤ、蛍光灯、ＥＬ（エレクトロルミネッセンス）表示器、回転リール、回転ディスク表示器、フレキシブルＬＥＤ、フレキシブル液晶表示器、液晶プロジェクタ等、どのような表示装置であってもよい。
【００３０】
前記遊技結果表示手段に表示される遊技結果とは、遊技開始指令手段の操作または遊技結果導出手段の操作に応じて表示されるものであり、静止画像、動画像、あるいはこれらの組合せとして表示される。また、弾球遊技機の場合の遊技結果は、遊技盤に設けられた所定の入球口に遊技球またはコインなど遊技媒体が入球または通過した場合に表示されるものも含む。
【００３１】
前記利益状態発生手段により発生する利益状態とは、例えば、パチスロ遊技機においては、小役入賞、リプレイゲーム、フリーゲーム、アシストゲーム、リプレイ抽選高確率ゲーム、ＢＢ（ビッグボーナス）、ＲＢ（レギュラーボーナス）、ＳＢ（シングルボーナス）、ＡＴ（アシストタイム）、ＣＴ（チャレンジタイム）等のことであり、またパチンコ機においては、小当たり（大入賞口の開放）、中当たり（大入賞口の開放）、大当たり（大入賞口が所定条件の充足により連続的に開放する状態）、当たり（図柄始動口の開放または拡大）、特図確変（大当たり出現確率変動）、特図変短（特別図柄の変動時間短縮）、普図確変（当たりの出現確率変動）、普図変短（普通図柄の変動時間短縮）、普電開放延長（図柄始動口の開放または拡大時間延長）、特電開放延長（大入賞口の開放または拡大時間延長）等のことである。また、前記各利益状態を複合的に発生させてもよい。さらに、前記各利益状態の継続回数を増加させてもよい。
【００３２】
前記遊技開始指令手段とは、例えば、パチスロ遊技機におけるスタートスイッチ、ベットスイッチ等のことをいう。
前記遊技開始手段とは、例えば、遊技を制御するための制御装置およびその制御プログラムのことをいう。
【００３３】
前記表示制御手段とは、例えば、表示制御装置およびその制御プログラムのことをいう。また、前記表示制御手段を、第１表示制御手段と第２表示制御手段とにより構成することもできる。ここで、例えば、第１表示手段が回転リールである場合には、第１表示制御手段とは、回転リールの回転および停止を制御するための制御装置およびその制御プログラムのことをいう。また、例えば、第２表示手段が液晶表示装置である場合には、第２表示制御手段とは、ビデオプロセッサ等を有する制御装置およびその制御プログラムのことをいう。
【００３４】
前記表示関連情報受信手段および前記当選役情報受信手段とは、例えば、前記第２表示制御装置内に形成された受信回路およびその制御プログラムのことをいう。
前記遊技結果導出手段とは、例えば、パチスロ遊技機におけるストップスイッチのことをいう。この場合、ストップスイッチの数は特に限定されるものではない。
前記当選役選択手段とは、例えば、乱数抽選に基づいて「当選」を選択するための制御装置およびその制御プログラムのことをいう。この場合、「当選」には、「ハズレ」、「リプレイ」等、乱数抽選の結果として導出される種々の遊技状態を含む。
【００３５】
前記特別遊技発生手段とは、例えば、パチスロ遊技機において、「ビッグボーナス」、「レギュラーボーナス」等を発生させるための制御装置およびその制御プログラムのことをいい、また、パチンコ機において、「大当たり」、「特図確変」等を発生させるための制御装置およびその制御プログラムのことをいう。
【００３６】
前記第１表示手段とは、例えば、パチスロ遊技機における回転リールのことをいう。なお、回転リールが回転中には、所定の条件に基づいてストップスイッチが有効とならない場合がある。また、例えば、パチンコ機においては、１または複数の液晶表示装置、１または複数の回転リール等で構成される特別図柄、普通図柄等のことをいう。
【００３７】
前記第２表示手段とは、例えば、液晶表示装置のことをいう。この場合、液晶表示装置の所定領域には、回転リールの図柄表示を透過して表示可能な透過表示部を含んでいる。すなわち、該透過表示部以外の領域は、液晶表示装置のバックライトからの光線を拡散するための拡散部を有しており、一方、該透過表示部は、この拡散部を有していない。また、前記第２表示手段とは、パチンコ機においては、例えば、１または複数の液晶表示装置、１または複数の回転リール等で構成される特別図柄、普通図柄等をいう。
【００３８】
前記第３表示手段とは、例えば、パチスロ遊技機におけるベット数表示器、演出専用回転リール等のことをいう。さらに、この第３表示手段を当選役選択結果報知手段として機能させることもできる。
【００３９】
また、各表示手段における表示とは、視覚的な表示に限られず、聴覚的な表示、嗅覚的な表示、ランプ点灯態様による表示、これらの表示を複合的に行う表示であってもよい。さらに、視覚的な表示を行う場合には、色彩、模様、形状、あるいはこれらを組み合わせて表示することができる。また、当選確率等を表示する場合には、その信頼度を変化させることができる。この場合、遊技に投入する遊技媒体数等に応じて信頼度を変化させてもよい。すなわち、遊技に投入した遊技媒体数が所定数以上である場合、あるいはクレジットされた遊技媒体数が所定数以上である場合には、信頼度を高めるような演出を行うことができる。
【００４０】
前記前方照明手段とは、例えば、パチスロ遊技機、パチンコ機において、回転リールを遊技機前方側から照明するためのランプ、ＬＥＤ等のことをいう。
前記後方照明手段とは、例えば、パチスロ遊技機、パチンコ機において、回転リールを内面側から照明するためのバックランプ等のことをいう。
【００４１】
また、前記各手段の動作は、所定の抽選結果に基づいて行われるように構成することができる。さらに、前記各手段の動作状態は、店員の操作、遊技者の操作、および営業員の操作等に基づいて設定できるように構成してもよい。
【００４２】
現在主流のパチンコ機を補足的に説明すると、発射装置（図示せず）により遊技球を発射して遊技を行うための遊技盤を備えている。この遊技盤には、ガイドレールで囲まれた略円形の遊技部を備えており、遊技部内には、複数の障害釘や風車等の障害部材を配設するとともに、複数の特別図柄を変動表示するための特別図柄表示装置として機能する画像表示装置と、赤および緑の２個の普通図柄表示ＬＥＤを内蔵する普通図柄表示装置と、複数の入賞口と、いずれの入賞口にも入賞しなかった遊技球を遊技部内から排出するためのアウト口とを備えている。
【００４３】
また、遊技球の入賞を条件として上記画像表示装置における図柄の変動表示を開始させるための特別図柄始動口と、遊技球の通過を条件として、普通図柄表示装置の変動表示を開始させるための普通図柄始動口とを備えている。
【００４４】
また、画像表示装置における図柄の停止表示態様が所定の賞態様を構成した場合に、所定時間および所定回数だけ遊技球を受け入れ易い状態（例えば、大当たり状態、中当たり状態、小当たり状態等）に切り換えられる大入賞口を備えている。
【００４５】
また、普通図柄表示装置に所定の表示結果が表示されると、特別図柄始動口を開放または拡大させる（例えば当たり状態等）。
【００４６】
なお、上記特別図柄が特定図柄（確率変動図柄）である場合には、当該特別遊技が終了した後の遊技において、「大当たり」となる確率が高くなる、いわゆる確率変動遊技が行なわれる。
この特定図柄（確率変動図柄）としては、例えば「０」〜「１１」の数字により表現される「大当たり」図柄のうちの奇数の図柄が特定図柄（確率変動図柄）となる。
【００４７】
＜パチスロ遊技機の外観＞
以下、図面を参照して、本発明に係る遊技機の具体的な実施形態を説明する。なお、以下に示す実施形態では、代表的な遊技機としてパチスロ遊技機を例にとって説明を行うが、本発明に係る遊技機はこれに限定されるものではない。
図１は、本発明の実施形態に係るパチスロ遊技機の外観を示す斜視図である。
【００４８】
本発明の実施形態に係るパチスロ遊技機は、図１に示すように、遊技機筐体１の前面のほぼ中央より上部に、遊技機筐体１内に配設した回転リール２ａ，２ｂ，２ｃの表面が臨む３個の表示窓３ａ，３ｂ，３ｃが横並びに設けられており、表示窓３ａ，３ｂ，３ｃの下方には、遊技に供する遊技メダルを投入するための遊技メダル投入口４、クレジットされた範囲内で遊技に供する遊技メダルを投入するためのベットスイッチ５、クレジットされた遊技メダルを払い出すための貯留メダル精算スイッチ６、回転リール２ａ，２ｂ，２ｃの回転を一斉に開始させるためのスタートスイッチ７、および各回転リール２ａ，２ｂ，２ｃの回転を個別に停止させるための３個のストップスイッチ８ａ，８ｂ，８ｃ等が設けられている。
【００４９】
前記３個の表示窓３ａ，３ｂ，３ｃには、表示窓３ａ，３ｂ，３ｃを横断するようにして合計５本の有効ライン表示９ａ，９ｂ，９ｃ，９ｄ，９ｅが施されている。この有効ライン表示は、横３本の有効ライン表示９ｂ，９ｃ，９ｄ、およびこれらと交差する斜め２本の有効ライン表示９ａ，９ｅからなり、遊技に供された遊技メダル数によって有効となるライン数が変化する。また、表示窓３ａの左側には、遊技に供された遊技メダル数と有効ライン表示９ａ，９ｂ，９ｃ，９ｄ，９ｅとの対応関係を表示するための３つの有効ラインランプ１０ａ，１０ｂ，１０ｃが設けられている。この有効ラインランプの前面には、例えば、「壱」、「弐」、「参」等の数字が表示されており、点灯した有効ラインランプ１０ａ，１０ｂ，１０ｃに対応して、投入した遊技メダル数および有効ライン表示９ａ，９ｂ，９ｃ，９ｄ，９ｅが明示されるようになっている。さらに、有効ラインランプ１０ａ，１０ｂ，１０ｃの上下には、パチスロ遊技機における遊技情報を表示するための複数の表示ランプ１１ａ，１１ｂ，１１ｃが設けられている。この表示ランプ１１ａ，１１ｂ，１１ｃは、第３表示部として機能するもので、例えば、遊技メダルの投入許可、遊技開始許可、ボーナス遊技の内部当選、遊技禁止、打ち止め等、種々の表示に用いることができる。
【００５０】
前記遊技機筐体１の前面下部には、遊技メダルを払い出すための遊技メダル払出口１２が設けられているとともに、遊技メダル払出口１２に臨むようにして遊技メダルを貯留するための遊技メダル貯留皿１３が設けられている。また、遊技機筐体１の前面上部には、装飾部１４、および一対のスピーカ１５ａ，１５ｂが設けられている。
【００５１】
なお、図示しないが、遊技機筐体１内には、所定の賞態様が構成された場合に遊技メダルを払い出すためのホッパが設けられている。
【００５２】
＜回転リール＞
回転リール２ａ，２ｂ，２ｃは、本実施形態において第１表示手段として機能する部材であり、横並びに３個配設されている。各回転リール２ａ，２ｂ，２ｃはそれぞれステッピングモータ等の駆動により回転する。また、各回転リール２ａ，２ｂ，２ｃは透光性を有する部材により構成されており、その表面には、透光性を有し複数の図柄が表示されたリールテープ（図示せず）が貼り付けられている。
【００５３】
なお、回転リール２ａ，２ｂ，２ｃの数は３個に限定されるものではなく、２個、４個等、何個配設されていてもよい。また、各回転リール２ａ，２ｂ，２ｃに表示される図柄の種類は特に限定されるものではなく、例えば、「７」、「ベル」、「オレンジ」、「チェリー」、「ＪＡＣ」、「ＢＡＲ」、「人物」、「動物」、「魚」、「乗物」等、種々の図柄を採用することができる。
【００５４】
図２を参照して、回転リール２ａ，２ｂ，２ｃを説明する。図２は回転リール（２ａを代表させて示す）および液晶表示装置１６の縦断面を示す模式図である。
この回転リール２ａは、図２に示すように、その内部に、回転リール２ａを内部から照明するための３個のバックライト１７ａ，１７ｂ，１７ｃが配設されている。なお、バックライトの数は３個に限られず、表示窓３ａ内に停止表示される図柄の個数に応じて、１個、２個、あるいは４個以上であってもよい。また、バックライト１７ａ，１７ｂ，１７ｃとしては、ランプ、ＬＥＤ等を用いることができる。
【００５５】
また、回転リール２ａ，２ｂ，２ｃの前方側には、液晶表示装置１６を背面側から照明するとともに、回転リール２ａ，２ｂ，２ｃを表面側から照明するための前方照明装置１８ａ，１８ｂが上下にそれぞれ１個ずつ配設されている。この前方照明装置１８ａ，１８ｂとしては、例えば、蛍光灯、ランプ、ＬＥＤ等を用いることができる。なお、前方照明装置１８ａ，１８ｂを上下に一対設けるのではなく、上側あるいは下側だけに設けてもよい。
【００５６】
＜液晶表示装置＞
液晶表示装置１６は、本実施形態において第２表示手段として機能する部材であり、図２に示すように、回転リール２ａ，２ｂ，２ｃに対してパチスロ遊技機の前面側に位置するように重ねて配設されている。
図３および図４を参照して、液晶表示装置１６を説明する。図３は液晶表示装置１６を縦断面とした模式図、図４は液晶表示装置１６を正面から見た状態の模式図である。
【００５７】
液晶表示装置１６は、図３に示すように、パチスロ遊技機の前方側から順に、液晶パネル１９、導光板２０、および反射板２１が配設されており、導光板２０の上下には、蛍光灯、ランプ、ＬＥＤ等からなる光源２２ａ，２２ｂが配設されている。
【００５８】
また、図４に示すように、回転リール２ａ，２ｂ，２ｃの表示窓３ａ，３ｂ，３ｃに対応する部分は、回転リール２ａ，２ｂ，２ｃの外周表面に描かれた図柄を透過表示可能な透過表示部２３ａ，２３ｂ，２３ｃとなっている。すなわち、透過表示部２３ａ，２３ｂ，２３ｃ以外の不透過領域２４は、前方照明装置１８ａ，１８ｂからの光線を拡散するための拡散部を有しており、一方、透過表示部２３ａ，２３ｂ，２３ｃはこの拡散部を有していない。さらに、液晶表示装置１６の全体は、導光板２０の上下に配設した光源２２ａ，２２ｂにより照明される。
【００５９】
本実施形態に係る液晶表示装置１６では、透過表示部２３ａ，２３ｂ，２３ｃを通して回転リール２ａ，２ｂ，２ｃに表示される図柄を視認することができ、さらに、透過表示部２３ａ，２３ｂ，２３ｃおよび不透過領域２４を含む画面全体に演出画像を表示することができる。
【００６０】
＜主制御基板および表示制御装置＞
図５を参照して、回転リール２ａ，２ｂ，２ｃにおける表示制御を行う主制御基板、および液晶表示装置１６の画面における表示制御を行う表示制御装置５０について説明する。図５は主制御基板６０および表示制御装置５０の構成を示すブロック図である。
【００６１】
本実施形態に係るパチスロ遊技機を制御する制御装置は、主制御基板６０と、主制御基板６０の制御の下に、液晶表示装置１６の画面における表示制御、スピーカ１５ａ，１５ｂからの音声の発生、およびランプ７０の点灯・点滅等の制御を行う表示制御装置５０とを備えている。ここで、主制御基板６０が第１表示制御手段として機能し、表示制御装置５０が第２表示制御手段として機能する。
【００６２】
表示制御装置５０は、図５に示すように、主制御基板６０と接続されたサブＣＰＵ５１により制御が行われる装置で、制御プログラム等を記憶したＲＯＭ５２、一時記憶領域であるＲＡＭ５３を備えている。また、液晶表示装置１６の画面における表示制御を行う部分として、ＶＤＰ（ビデオプロセッサ）５４、ＶＲＡＭ（ビデオＲＡＭ）５５、およびＣＲＯＭ（キャラクタＲＯＭ）５６を備えており、サブＣＰＵ５１の制御の下にＶＤＰ５４が動作して液晶表示装置１６の画面における表示制御が行われる。さらに、スピーカ１５ａ，１５ｂから発生する音声を制御するための部分として、音源ＩＣ５７、ＳＲＡＭ（サウンドＲＡＭ）５８を備えており、サブＣＰＵ５１の制御の下に音源ＩＣ５７が動作してスピーカ１５ａ，１５ｂから効果音等が発生される。さらに、サブＣＰＵ５１は、ランプ７０の点灯・点滅等の制御も行う。なお、図５に示すランプ７０とは、パチスロ遊技機に搭載された種々のランプ、ＬＥＤ等のように、装飾および演出に用いられる光源部の総称である。
【００６３】
主制御基板６０には、回転リール２ａ，２ｂ，２ｃの回転を制御するためのモータ駆動回路８０、回転リール位置検出回路９０、および回転リール停止信号回路１００が接続されている。
【００６４】
モータ駆動回路８０は、回転リール２ａ，２ｂ，２ｃをそれぞれ駆動するためのステッピングモータ１１０ａ，１１０ｂ，１１０ｃを制御するための回路である。また、回転リール位置検出回路９０は、回転リール２ａ，２ｂ，２ｃの回転位置を検出するための回路である。また、回転リール停止信号回路１００には、ストップスイッチ８ａ，８ｂ，８ｃが接続されており、ストップスイッチ８ａ，８ｂ，８ｃが操作されると、主制御基板６０に対して回転リール停止信号を送信する。
【００６５】
主制御基板６０では、回転リール位置検出回路９０により検出された回転リール２ａ，２ｂ，２ｃの回転位置に基づいてモータ駆動回路８０を制御し、回転リール２ａ，２ｂ，２ｃの回転および停止を制御する。そして、回転リール停止信号回路１００からの回転リール停止信号を受信すると、モータ駆動回路８０および回転リール位置検出回路９０を制御して、回転リール２ａ，２ｂ，２ｃを所望の位置に停止させる。
【００６６】
なお、回転リール２ａ，２ｂ，２ｃの停止制御は、所定の抽選結果に基づく場合と、抽選結果とは関係なく遊技者によるストップスイッチ８ａ，８ｂ，８ｃの操作のみに基づく場合とがある。
【００６７】
また、図示しないが、主制御基板６０には、種々の制御を行うための複数のスイッチ等が接続されている。
【００６８】
＜表示制御装置における制御手順＞
図６〜図１０を参照して、表示制御装置５０における画像表示処理の手順を説明する。図６は表示制御装置５０における画像表示処理の手順を示すフローチャート、図７は主割込処理の手順を示すフローチャート、図８はＶＤＰ割込処理の手順を示すフローチャート、図９は同期割込処理の手順を示すフローチャート、図１０はタイマ割込処理の手順を示すフローチャートである。
【００６９】
表示制御装置５０における画像表示処理では、図６に示すように、サブＣＰＵ５１、ＲＡＭ５３等の初期化を行い（Ｓ１）、バッファに対してチェックサムを算出してバックアップを行い（Ｓ２）、チェックサムが不正であった場合には、バックアップしたバッファを復帰させる（Ｓ３）。
続いて、コマンド処理（Ｓ４）を行い、バッファが完成しているか否かを判断する（Ｓ５）。ここで、バッファが完成していない場合には、データ更新処理（Ｓ６）を行うとともに、取得したデータをバッファとして蓄積する（Ｓ７）。
【００７０】
一方、バッファが完成している場合には、タイマフラグがオンとなっているか否かを判断し（Ｓ８）、タイマフラグがオンとなって画面更新の準備が整っていれば、ＶＤＰフラグがオンとなっているか否かを判断する（Ｓ９）。
ここで、ＶＤＰフラグがオンとなって描画準備が整っていれば、タイマフラグおよびＶＤＰフラグをリセットし（Ｓ１０，Ｓ１１）、バッファをＶＤＰ５４へ送信した後（Ｓ１３）、バッファをクリアする（Ｓ１４）。
【００７１】
なお、タイマフラグがオンとなっていない場合には、ステップＳ９の処理は行われず、また、ＶＤＰフラグがオンとなっていない場合には、ステップＳ１０〜ステップＳ１４の処理は行われない。
続いて、バッファに対してチェックサムを算出してバックアップを行い（Ｓ１５）、ステップＳ３の処理へ戻り、以降の処理を繰り返して行う。
この画像表示処理に対しては、種々の割込処理がなされる。
【００７２】
主制御基板６０からの主割込処理は、表示制御装置５０に対して制御コマンドを送信するための割込処理で、図７に示すように、コマンドが記憶（Ｓ２１）される。なお、パチスロ遊技機の場合には、ストローブ信号が２０ｍｓｅｃと比較的長いため、主割込処理を行わずに、画像表示処理におけるコマンド処理（Ｓ４）において主制御基板６０からの信号を取り込んでもよい。
ＶＤＰ割込処理は、ＶＤＰ５４における描画準備が整った旨を通知するための割込処理で、図８に示すように、ＶＤＰフラグがセットされる（Ｓ３１）。画像表示制御処理では、このＶＤＰフラグに基づいてステップＳ９の判断処理が行われる。
【００７３】
同期割込処理は、液晶表示装置１６の画面における描画タイミングを制御するための割込処理で、図９に示すように、１０００／６０ｍｓ毎にタイマフラグがセットされる（Ｓ４１）。画像表示制御処理では、このタイマフラグに基づいてステップＳ８の判断処理が行われる。本実施形態では、液晶表示装置１６の画面において１０００／３０ｍｓ毎に描画が行われ画像が変化するようになっている。
【００７４】
タイマ割込処理は、ソフト的にタイマを更新するための割込処理で、図１０に示すように、２ｍｓ毎にカウンタ更新が行われる（Ｓ５１）。なお、タイマ割込処理のタイミングは２ｍｓに限られず、例えば２ｍｓ〜１０ｍｓの範囲内のいずれかの値であってもよい。
【００７５】
＜回転リールおよび液晶表示装置における表示例＞
図１１、図１２を参照して、第１表示手段である回転リール２ａ，２ｂ，２ｃおよび第２表示手段である液晶表示装置１６の画面における具体的な表示例について説明する。図１１は表示例のパターン１を示す説明図、図１２は表示例のパターン２を示す説明図である。
【００７６】
なお、図１１、図１２において、図中の下矢印は回転リール２ａ，２ｂ，２ｃが回転して図柄が変動中であることを示し、白丸で表示されるストップスイッチ８ａ，８ｂ，８ｃは停止操作が行われていないことを示し、黒丸で表示されるストップスイッチ８ａ，８ｂ，８ｃは停止操作が行われていることを示す。
【００７７】
表示例のパターン１は、液晶表示装置１６の画面に、利益状態の発生を遊技者に思考的に喚起させる（気付かせる）Ｖ字形状の特定表示図柄３０を、３つの透過表示部２３ａ，２３ｂ，２３ｃ（図１１では図示されていないが、液晶表示装置１６の画面に表示された３つの表示窓３ａ，３ｂ，３ｃに略対応している）を跨るようにして表示して、ビッグボーナスが内部当選した旨を告知するようにしたものである。
【００７８】
すなわち、表示例のパターン１は、回転リール２ａ，２ｂ，２ｃが停止した状態から、遊技に供する遊技メダルが投入される等、遊技の開始条件が整った後にスタートスイッチ７が操作されると、３つの回転リール２ａ，２ｂ，２ｃの回転が開始し、複数の図柄が縦方向に変動表示される。このとき、主制御基板６０において当選役の抽選が行われる。
【００７９】
そして、ビッグボーナスに内部当選すると、図１１の（ｂ）に示す状態となった時点、すなわち、ストップスイッチ８ａ，８ｂが操作され、これに対応した回転リール２ａ，２ｂが停止し（ａ）（この例では、男性のキャラクタ図柄「ドンちゃん」が横一列に並んだときに発生するビッグボーナス確定目前のいわゆるテンパイ状態となっている）で停止し（ａ）、さらにストップスイッチ８ｃが操作されて右側の回転リール２ｃがビッグボーナス確定を逃した状態で停止した時点で（ｂ）、前記特定表示図柄３０が３つの透過表示部２３ａ，２３ｂ，２３ｃを跨るように、かつ該特定表示図柄３０を透過して各回転リール２ａ，２ｂ，２ｃの停止表示を視認し得る状態で表示される（ｃ）。
【００８０】
前記特定表示図柄３０はビッグボーナスが内部当選した旨を告知するために表示されるものであり、遊技者はこの特定表示図柄３０を視認することによって、ビッグボーナスが内部当選したことを認識することが可能となる。なお、特定表示図柄３０はビッグボーナスが内部当選した場合に必ず表示するようにしてもよいし、ビッグボーナスが内部当選した毎に、抽選によって表示するか否かを決定するようにしてもよい。
【００８１】
次に、特定表示図柄３０の表示後、所定時間が経過すると特定表示図柄３０の表示が消える（ｄ）。再度、遊技に供する遊技メダルが投入される等、遊技の開始条件が整った後にスタートスイッチ７が操作されると、３つの回転リール２ａ，２ｂ，２ｃの回転が開始し、複数の図柄が縦方向に変動表示される（ｅ）。この後、ストップスイッチ８ａ，８ｂ，８ｃがいわゆる目押し操作されて、これに対応した回転リール２ａ，２ｂ，２ｃが、前記図柄「ドンちゃん」が横一列に並ぶ状態で停止されると、ビッグボーナスが確定する。
【００８２】
なお、このときビッグボーナスが確定する状態に回転リール２ａ，２ｂ，２ｃが停止されなかった場合は、ビッグボーナスが内部当選した状態を持ち越しにして、再び特定表示図柄３０を表示するようにしてもよい。また、ビッグボーナスに内部当選した場合であっても、ストップスイッチ８ａ，８ｂ，８ｃの操作タイミング、あるいはストップスイッチの押し順に応じて、ビッグボーナスの発生を制御するように構成してもよい。
【００８３】
この表示例のパターン１では、ビッグボーナスが内部当選した旨を告知するための特定表示図柄３０が、３つの透過表示部２３ａ，２３ｂ，２３ｃを跨るように表示される。このため、特定表示図柄３０の視認性が高く、遊技者にビッグボーナスが内部当選したことを明確に認識させることができる。また、各回転リール２ａ，２ｂ，２ｃにおける特定表示図柄３０の表示を透過して液晶表示装置１６の画面における表示も同時に視認することができるので、遊技に集中することが可能であるとともに、演出表示を楽しむことが可能となる。
【００８４】
なお、Ｖ字形状の特定表示図柄３０は、例えば、表示される部分の輝度や色等を変化させるなどによって、特定表示図柄３０を瞬間的に明るく視認できるようにしたり、特定表示図柄３０が点滅して見えるようにしたりした後消滅させるようにできる。このような演出表示は、従来の「フラッシュ」と呼ばれる演出表示に対応するものである。従来のフラッシュには、回転リール内のバックライトを用いて表示する例などがあるが、光量が乏しく何を表示しているのかが判別しにくいという問題があった。これに対して、上述のように液晶表示装置１６の画面においてフラッシュ演出表示を行うようにすれば、表示内容の視認性を確実に高めることが可能となる。
【００８５】
図１２に示す表示例のパターン２は、液晶表示装置１６の画面に、前記特定表示図柄３０を、３つの透過表示部２３ａ，２３ｂ，２３ｃ（図１２では図示されていないが、液晶表示装置１６の画面に表示された３つの表示窓３ａ，３ｂ，３ｃに略対応している）を跨るようにして表示して、ビッグボーナスが内部当選した旨を告知するようにした点では、前記パターン１と同じである。しかし、このパターン２では、特定表示図柄３０を表示する過程およびその表示態様がパターン１とは異なっている。
【００８６】
すなわち、表示例のパターン２では、主制御基板６０における当選役の抽選の結果、ビッグボーナスに内部当選した状態で、かつ回転リール２ａ，２ｂが停止したときに（ａ）、男性のキャラクタ図柄「ドンちゃん」が左側の表示窓３ａの上段位置に停止表示された状態である場合において、さらに右側の回転リール２ｃが当たり役を逃した状態で停止した時点で（ｂ）、液晶表示装置１６の画面における演出表示が開始される。
【００８７】
演出表示は、まず、各透過表示部２３ａ，２３ｂ，２３ｃの透過度を変えることによって、各回転リール２ａ，２ｂ，２ｃの表示を視認しにくくすることから開始される。そして、左側の透過表示部２３ａの領域内において、前記「ドンちゃん」の図柄と対応する位置に、この「ドンちゃん」の図柄と同様に構成された模写図柄３１を表示する。続いて、時間経過に伴ってこの模写図柄３１を、３つの透過表示部２３ａ，２３ｂ，２３ｃの領域内に、Ｖ字型に近い配列となるように複数（図の例では５つ）表示していく（ｃ）。
【００８８】
この５つの模写図柄３１が表示された後、左側の透過表示部２３ａの中段位置に表示されていた模写図柄３１と、右側の透過表示部２３ｃの中段位置に表示されていた模写図柄３１が、各透過表示部２３ａ，２３ｃの領域内から互いに接近する横方向に移動して、５つの模写図柄３１の配列がよりＶ字型に近い並びとなるように表示されるとともに、Ｖ字型の前記特定表示図柄３０が５つの模写図柄３１に重なるように、かつ３つの透過表示部２３ａ，２３ｂ，２３ｃを跨るように表示される（ｄ）。なお、前記特定表示図柄３０は任意のタイミングで表示することが可能である。例えば、最初の模写図柄３１が表示された時点で表示したり、複数の模写図柄３１が表示される過程で、断続的に表示したりするようにしてもよい。
【００８９】
次に、特定表示図柄３０の表示後、所定時間が経過すると特定表示図柄３０および５つの模写図柄３１の表示が消えるとともに、透過表示部２３ａ，２３ｂ，２３ｃの透過度が変化して各回転リール２ａ，２ｂ，２ｃの表示が視認可能とされる（ｅ）。再度、遊技に供する遊技メダルが投入される等、遊技の開始条件が整った後にスタートスイッチ７が操作されると、３つの回転リール２ａ，２ｂ，２ｃの回転が開始し、複数の図柄が縦方向に変動表示される（ｆ）。この後、ストップスイッチ８ａ，８ｂ，８ｃがいわゆる目押し操作されて、これに対応した回転リール２ａ，２ｂ，２ｃが、前記図柄「ドンちゃん」が横一列に並ぶ状態で停止されると（ｇ）、ビッグボーナスが確定する。
【００９０】
なお、このときビッグボーナスが確定する状態に回転リール２ａ，２ｂ，２ｃが停止されなかった場合は、ビッグボーナスが内部当選した状態を持ち越しにして、再び上述した演出表示を行うようにしてもよい。また、前記特定表示図柄３０および模写図柄３１を、上述したフラッシュ表示してもよい。また、複数種類の模写図柄を用いて、このパターン２と同様の表示演出を行うようにしてもよい。
【００９１】
この表示例のパターン２では、ビッグボーナスが内部当選した旨を告知するための特定表示図柄３０が、回転リール２ａ，２ｂ，２ｃの表示を遮蔽するような状態で、３つの透過表示部２３ａ，２３ｂ，２３ｃを跨るように表示される。このため、特定表示図柄３０の視認性が極めて高く、遊技者にビッグボーナスが内部当選したことをさらに明確に認識させることができる。また、特定表示図柄３０が表示される過程自体に工夫がされているので、演出表示をより楽しむことが可能となる。
【００９２】
なお、パターン１のような表示が行われた場合と、パターン２のような表示が行われた場合とで、ビッグボーナスの発生確率を異ならせるように構成することができる。例えば、パターン２のような表示が行われた場合には、ほぼ確実にビッグボーナスを発生させ、一方、パターン１のような表示が行われた場合には、必ずビッグボーナスが発生するとは限らないようにしてもよい。
【００９３】
また、上記各表示例のパターンにおける説明とは異なるが、ビッグボーナスゲームに内部当選した場合に限らず、ビッグボーナスゲームに非当選の場合にも、上記各パターンの表示を行うように構成してもよい。この場合、各パターン毎にビッグボーナスの発生に対する信頼度を異ならせて告知することができる。例えば、パターン１の表示が行われた場合には、１００％の信頼度でビッグボーナスが発生し、パターン２の表示が行われた場合には、５０％の信頼度でビッグボーナスが発生するように構成して、ビッグボーナスの発生に対する信頼度を告知することができる。
【００９４】
また、ビッグボーナス発生の可能性が０％の場合であっても、特定表示図柄３０を表示するように構成してもよい。この場合、例えば、回転リール２ａ，２ｂ，２ｃの全てが停止する前に特定表示図柄３０を表示し、回転リール２ａ，２ｂ，２ｃの全てが停止し、外れが確定した時点で特定表示図柄３０の表示を消すように構成することができる。
【００９５】
また、液晶表示装置１６による演出表示と、バックライト１７ａ，１７ｂ，１７ｃによる演出表示とを使い分けるようにすることもできる。例えば、液晶表示装置１６による特定表示図柄３０の表示がなされた場合と、バックライト１７ａ，１７ｂ，１７ｃによる演出表示がなされた場合とで、ビッグボーナスの発生に対する信頼度を異ならせて告知することができる。あるいは、バックライト１７ａ，１７ｂ，１７ｃによる演出表示の内容を、遊技者の操作により液晶表示装置１６による演出表示に切替えて確認できるように構成してもよい。
このような構成とすることにより、ビッグボーナスが発生することへの遊技者の期待感を高めて、遊技の面白さを向上させることができる。
【００９６】
また、上述した実施形態では、複数の図柄を回転表示する回転リール毎に、透過表示部を設けていたが、本発明はこれに限定されるものではなく、例えば、第２表示手段に対して、複数の図柄を回転表示する複数の回転リール（複数の可変表示部）の１つ、複数または全てに対して１つの透過表示部を設けてもよい。また。第２表示手段全体が透過表示部であってもよい。さらに、透過表示部の大きさが変化してもよい。
【００９７】
また、透過表示部は、第１表示手段の表示を透過して表示可能であればよく、その部分に液晶を設けずに、透過性を有する部材など（透明ガラス、透明樹脂など）だけで構成されていてもよい。
【００９８】
また、第３表示手段として採用するものとしては、第１表示手段及び第２表示手段として採用し得る具体例として記載したものであってもよい。例えば、第３表示手段として、１又は複数の主に演出表示（例えば内部当選役の予告や、特別な利益状態発生の予告・報知等）を行う回転リールを採用してもよい。
【００９９】
また、第２表示手段の裏または裏側に、第１表示手段及び第３表示手段を設けるようにしてもよい。もちろん、この場合に、第２表示手段に対して、第３表示手段の表示を遊技者に視認しやすくする、または視認するための透過表示部を設けてもよい。また、第２表示手段の画像と第３表示手段の画像との重合画像を遊技者に視認させるように制御してもよく、その制御が発生した場合は、制御が発生しない場合に較べて高い確率で利益状態が発生するように構成してもよい。このような構成とすることにより、遊技者の期待感を増大させるような演出を更に含めることが可能となる。
【０１００】
また、第１表示手段、第２表示手段又は第３表示手段のいずれかを、キャラクタ、図形、人形、動物、昆虫、構造物、魚、乗物などの形状をした１または複数の可動物としてもよい。例えば、特定の役に内部当選した場合、特定の入賞が発生した場合、未だ入賞してない特定の内部当選した同一役が所定個数以上の場合、特定の画像がその可動物とは異なる表示手段に表示された場合等に、その可動物が回転、揺動、往復、振動などの可動を行うようにしてもよい。また、可動物を複数の部材から構成し、可動物の一部が可動するようにしてもよい。この場合、画像表示装置以外の表示により、更に一層多彩な演出効果を期待することができる。さらに、可動物による表示と、画像など可変表示との融合という新たな演出を追加することができる。
【０１０１】
また、第１表示制御手段と、第２表示制御手段とを別々の基板により構成してもよい。この場合、基板に異常がある場合、または破損した場合、いずれか一方の基板のみを交換すればよいので、作業効率および部品費用を低減することができる。なお、両基板を同一の基板として構成してもよく、その場合には一部の電子部品の共通利用などが可能となる。
【０１０２】
また、第１表示制御手段と当選役選択手段とを同じ基板上に構成し、その基板からコマンド信号を送信することにより、第２表示制御手段に指令を出すように構成してもよい。この場合、第１表示制御手段と当選役選択手段とを構成した基板は非常に多数の処理を行わなければならないが、第２表示制御手段は別基板構成となっているので、その分処理に余裕ができる事になり、制御手段に潜むバグを減らすことができる。
【０１０３】
また、表示関連情報信号は、例えば第１表示手段に遊技結果として表示された図柄の一部又は全てを識別可能であれば充分である。具体的には、第１表示手段を複数の回転リールとした場合には、１つの回転リールの下段に、ボーナス図柄が遊技結果として停止表示したという情報を含んでいればよい。また、回転リールに描かれた各図柄に識別番号をつけておき、その番号を含むようにしてもよい。回転リールとは異なる可変表示手段の場合にも、その表示部に表示されている図柄などの態様を識別できれば充分である。さらに、当該図柄などの表示位置を含めることにより、第１表示手段の表示と第２表示手段の表示を更に融合させることができる。
【０１０４】
また、第３表示手段の表示制御を行う第３表示制御手段を備え、第３表示手段に可変表示又は停止表示している表示態様も同様に第２表示制御手段に知らせるように構成してもよい。
もちろん、第２表示制御手段、第３表示制御手段を同一の基板により構成してもよい。
【０１０５】
また、第１表示手段又は第３表示手段が上下左右前後方向への移動、往復、誘導振動又は回転など可動してもよい。この場合、透過表示部がその可動に合わせて移動するように構成してもよい。これらの動作により、一層奥の深い演出効果を期待することができ、また、ゲーム性との関連にも応用することができる。
【０１０６】
前述のような、特定表示図柄を複数の透過表示部に跨るように表示させる演出表示を、通常よりも遊技者に有利なように遊技制御されている場合（例えば、前述のビッグボーナス中、レギュラーボーナス中、ＣＴ中、ＡＴ中、特定の役の当選した場合、未だ入賞していない特定の当選した同一役の数が所定数以上の場合など）に発生してもよい。そうすることで、運良く有利な状態で遊技を進めている遊技者に優越感を味わえることが可能となる場合がある。
【０１０７】
また、通常よりも遊技者に有利なように遊技制御されている場合の方がされていない場合よりも高い確率で前述のような演出表示を発生しても同様の効果が期待できる。
【０１０８】
複数ゲームに亘って、前述のような特定表示図柄を複数の透過表示部に跨るように表示させる演出表示を行ってもよい。その演出を、通常よりも遊技者に有利なように遊技制御されている場合（例えば、前述のビッグボーナス中、レギュラーボーナス中、ＣＴ中、ＡＴ中、特定の役の当選した場合、未だ入賞していない特定の当選した同一役の数が所定数以上の場合など）に発生してもよい。そうすることで、運良く有利な状態で遊技を進めている遊技者に優越感を味わわせることが可能となる場合がある。
【０１０９】
前記特定表示図柄が移動、拡大、縮小、色変化、色彩変化、模様変化などの可変表示を行うように構成してもよい。こうすることにより、多彩な演出表示を行うことができ、遊技性を高めることが可能となる。また、特定表示図柄の大きさ、表示位置、色、色彩、模様、可変表示態様、個数などのうちの複数またはいずれかを複数表示可能に構成してもよく、その場合には、一層多彩な演出が可能となる。
【０１１０】
また、前記当選役選択手段が特定の当選役を選択している場合は、選択していない場合に比べて、特定表示図柄を高い確率で、特定の大きさ、特定の表示位置、特定の色、特定の色彩、特定の模様、特定の可変表示、特定の個数のうちいずれかで表示するようにしてもよく、そのように構成した場合には、前述の特定の表示態様により、期待感を向上させながら演出表示を楽しませることが可能となり、極めて好適である。
【０１１１】
前記模写図柄が移動、縮小、色変化、色彩変化、模様変化などの可変表示を行うように構成してもよい。こうすることにより、多彩な演出表示を行うことができ、遊技性を高めることが可能となる。また、模写図柄の大きさ、表示位置、色、色彩、模様、可変表示態様、個数などのうちの複数またはいずれかを複数表示可能に構成してもよく、その場合には、一層多彩な演出が可能となる。
【０１１２】
また、前記当選役選択手段が特定の当選役を選択している場合は、選択していない場合に比べて、模写図柄を高い確率で、特定の大きさ、特定の表示位置、特定の色、特定の色彩、特定の模様、特定の可変表示、特定の個数のうちいずれかで表示するようにしてもよく、そのように構成した場合には、前述の特定の表示態様により、期待感を向上させながら演出表示を楽しませることが可となり、極めて好適である。
【０１１３】
前記第２表示手段の表示は、前記所定の図柄が第１表示手段において表示された場合に、該所定の図柄を透過表示する前記透過表示部の所定位置を基点とせずに表示開始してもよい。その場合でも、遊技者は、期待感を持って特定表示図柄の表示を見ることができる。
【０１１４】
前記特定表示図柄は、文字（例えば「Ｖ」など）、図柄（例えば、ボーナス図柄など）、図形、記号、キャラクタ、など何でもよいが、遊技者に期待感を抱かせるような表示であれば好適である。また、その遊技機の題材に関わるような図柄とすることも好適である。
【０１１５】
以上のように本発明では、遊技結果を表示するとともに所定の表示を行う遊技結果表示手段と、該遊技結果表示手段に特定の遊技結果が表示された場合に遊技者にとって有利な利益状態を発生させる利益状態発生手段と、前記遊技結果表示手段における表示制御を行う表示制御手段とを備えた遊技機において、前記遊技結果表示手段は、第１表示手段と、遊技機を正面から見た場合に該第１表示手段の手前側に配設された第２表示手段を含み、前記第２表示手段は、前記第１表示手段の表示を透過して表示可能な複数の透過表示部を有し、該複数の透過表示部に跨るように特定表示図柄を表示することを特徴とする。第１表示手段の表示等を視認するための複数の図柄表示領域を含んだ領域に特定表示図柄を表示することから、遊技者はこの特定表示図柄を見落としにくく好適である。また、遊技者側に位置する第２表示手段の表示もさらに視認しやすくなる。また、第２表示手段は可変表示手段であるので、固定表示手段ではなしえない多彩な表示態様変化による演出表示が可能になる。
【０１１６】
また、複数の当選役から少なくとも１つの当選役を選択する当選役選択手段を備え、前記第２表示手段の表示は、該当選役選択手段により特定の当選役が選択された場合に、行われるように構成することが可能である。当選役選択手段が特定の当選役を選択した場合に、第１表示手段の表示等を視認するための複数の図柄表示領域を含んだ領域に特定表示図柄を表示するので、遊技者に利益状態がもうすぐ発生するかもしれないという期待感を抱かせることができ、また、特定表示図柄を見落とす虞が少ないので、その期待感を抱き損ねる虞も少なくなり、極めて好適である。
【０１１７】
また、前記第２表示手段の表示は、前記第１表示手段の表示態様に応じて、表示開始または表示停止されるように構成することが可能である。遊技機における遊技において遊技者は、停止表示した図柄が最終停止図柄でない場合でも、その停止によって、最終的に特定の遊技結果につながるものか、またはつながりやすいかどうかを考えながら、遊技を見守る傾向がある。表示手段の表示態様に応じて、特定表示図柄の表示が表示開始された場合、遊技者の、最終的に特定の遊技結果になるかもしれないという期待を後押しすることになり、さらに期待感を膨らませることが可能となる。
【０１１８】
また、前記特定表示図柄は、前記第１表示手段において表示可能な所定の図柄と同様の模写図柄を複数組み合わせたものを含むものとすることが可能である。第１表示手段において表示可能な所定の図柄と同様の模写図柄を複数組み合わせたものを含む特定表示図柄を表示することにより、遊技者に、見慣れた図柄が複数表示される面白みを感じさせることができるので、演出効果を一層高めることが可能となる。
【０１１９】
また、前記第２表示手段において行う演出表示は、前記所定の図柄が前記第１表示手段において表示された場合に、該所定の図柄を透過表示する前記透過表示部の所定位置を基点として表示開始し、前記模写図柄を時間経過に伴って複数表示するとともに、前記特定表示図柄を表示するように構成することが可能である。こうすることにより、特定表示図柄の描き出し基点が遊技者の視線が向いている方向と一致しやすくなるので、特定表示図柄をその描き出される時点から視認しやすくなり、より演出効果を高めることが可能となる。
【０１２０】
また、前記模写図柄は、前記透過表示部の領域内に表示されるように構成することが可能である。透過表示部の領域内は、遊技者の視線が集まる領域なので、特定表示図柄をより視認しやすくなり、演出効果を高めることが可能となる。
【０１２１】
【発明の効果】
遊技結果を表示するとともに所定の表示を行う遊技結果表示手段と、
該遊技結果表示手段に特定の遊技結果が表示された場合に遊技者にとって有利な利益状態を発生させる利益状態発生手段と、
前記遊技結果表示手段における表示制御を行う表示制御手段とを備えた遊技機において、
前記遊技結果表示手段は、第１表示手段と、遊技機を正面から見た場合に該第１表示手段の手前側に配設された第２表示手段を含み、
前記第２表示手段は、前記第１表示手段の表示を透過して表示可能な複数の透過表示部を有し、該複数の透過表示部に跨るように特定表示図柄を表示するので、第１表示手段の表示と第２表示手段の表示とが融合した多彩な表示により遊技の面白さを一層向上させることが可能となる。
【図面の簡単な説明】
【図１】本発明の実施形態に係るパチスロ遊技機の外観を示す斜視図
【図２】回転リールおよび液晶表示装置の縦断面を示す模式図
【図３】液晶表示装置を縦断面とした模式図
【図４】液晶表示装置を正面から見た状態の模式図
【図５】表示制御装置の構成を示すブロック図
【図６】表示制御装置における画像表示処理の手順を示すフローチャート
【図７】主割込処理の手順を示すフローチャート
【図８】ＶＤＰ割込処理の手順を示すフローチャート
【図９】同期割込処理の手順を示すフローチャート
【図１０】タイマ割込処理の手順を示すフローチャート
【図１１】表示例のパターン１を示す説明図
【図１２】表示例のパターン２を示す説明図
【符号の説明】
１  遊技機筐体
２ａ  左側の回転リール
２ｂ  中央の回転リール
２ｃ  右側の回転リール
３ａ  左側の表示窓
３ｂ  中央の表示窓
３ｃ  右側の表示窓
４  遊技メダル投入口
５  ベットスイッチ
６  貯留メダル精算スイッチ
７  スタートスイッチ
８ａ  左側のストップスイッチ
８ｂ  中央のストップスイッチ
８ｃ  右側のストップスイッチ
９ａ〜９ｅ  有効ライン表示
１０ａ〜１０ｃ  有効ラインランプ
１１ａ〜１１ｃ  表示ランプ
１２  遊技メダル払出口
１３  遊技メダル貯留皿
１４  装飾部
１５ａ，１５ｂ  スピーカ
１６  液晶表示装置
１７ａ〜１７ｃ  バックライト
１８ａ，１８ｂ  前方照明装置
１９  液晶パネル
２０  導光板
２１  反射板
２２ａ，２２ｂ  光源
２３ａ〜２３ｃ  透過表示部
２４  不透過領域
３０  特定表示図柄
３１  模写図柄
５０  表示制御装置
５１  サブＣＰＵ
５２  ＲＯＭ
５３  ＲＡＭ
５４  ＶＤＰ
５５  ＶＲＡＭ
５６  ＣＲＯＭ
５７  音源ＩＣ
５８  ＳＲＡＭ
６０  主制御基板
７０  ランプ
８０  モータ駆動回路
９０  回転リール位置検出回路
１００  回転リール停止信号回路
１１０ａ〜１１０ｃ  ステッピングモータ
【図１】
2004166912.tif 000003
【図２】
2004166912.tif 000004
【図３】
2004166912.tif 000005
【図４】
2004166912.tif 000006
【図５】
2004166912.tif 000007
【図６】
2004166912.tif 000008
【図７】
2004166912.tif 000009
【図８】
2004166912.tif 000010
【図９】
2004166912.tif 000011
【図１０】
2004166912.tif 000012
【図１１】
2004166912.tif 000013
【図１２】
2004166912.tif 000014